(57)【要約】【課題】髪の毛など糸状の細長い物及び木の葉など又はビニールなどシート状小片の物等のゴミの混じった排水などでも目詰まりを起こしにくく濾過し、簡易で安価な線条体フィルターを得ること。【解決手段】若干の屈曲部を持った線条を多数本又は所定長さに多数回折り曲げると共に束ねて所定径に形成した線条体フィルターであって、該線条体フィルターの吸い込み口又は排水口の端面側が均一平面状でなく若干の凹凸状態になるように設け、該線条体フィルターを吸い込み口又は排水口の軸方向に装着している。【選択図】      図１
2005023712.tif 000002
【特許請求の範囲】
【請求項１】
若干の屈曲部を持った所定長さの線条を多数本束ね又は所定長さに多数回繰り返し折り曲げると共に束ねて所定径に形成して線条体フィルターとし、且つ所定径に形成した該フィルターの吸い込み口又は排水口のその端面側が均一平面状でなく、各線条が若干の凹凸状態の不揃いになるように形成した線条体フィルターを吸い込み口又は排水口の軸方向に装着することを特徴とした線条体フィルター。
【発明の詳細な説明】
【０００１】
【発明の属する技術分野】
本発明は、髪の毛など糸状の細長い物及び木の葉などシート状の小片など目詰まりしやすい物等のゴミの混じった排水などを濾過するフィルターに関する。
【０００２】
【従来の技術】
【特許文献１】
従来、異物などの濾過用のフィルターに関して多く提案がなされ、例えば「特開平８−０４９２７３号公報」の排水口用簡易フィルターのように円形の薄い基板４に多くの開口６と突片１０が設けられ、その突片１０により髪の毛を補足して開口６から排水する排水口用簡易フィルターが示されている。
【０００３】
【特許文献２】
また、「特開平１１−３０３１７２号公報」の排水口フィルターのように平板状で排水可能な穴２を設けた物が示され、その穴２でゴミや髪の毛を引っかけやすくした構成が示されている。
【０００４】
【特許文献３】
さらに、「特開平１１−２９３７３６号公報」の排水口ゴミ補足器のように、金網状の物を使用してメッシュフィルターの構成が示され、この金網状の物は特に他にも多く提案され、一般市場にも提供されている。
【０００５】
【特許文献４】
加えて、本特許出願人が出願した「特願２００２−３８３６１８」の選別及び濾過用フィルターのように、線条体でコイル状又は渦巻き状に形成した物も提案している。
【０００６】
従来の多くは網を利用し、また丸又は角状の孔を薄板に形成した物、線条をコイル状又は渦巻き状に使用した物が示され、さらに一般市場でも濾過用フィルターの多くは、網でカップ状又は平板状に形成して、吸排水用の濾過フィルターとして使用している。
【０００７】
【発明が解決しようとする課題】
従来、異物などの濾過用のフィルターとして特許文献１から特許文献４までに見られるように、平板の突片により掛止する物と、平板状で排水可能な穴を設けた物と、金網状の物などが主に出願されており、これら共通しての問題点が、髪の毛など糸状の細長い物及び木の葉などシート状の小片など目詰まりしやすい物を多く含む水を吸排水すると、その吸排水口に紙漉き状態で髪の毛など糸状の細長い物が重なり合って張り付き目詰まりを起こし、また木の葉などシート状の小片など目詰まりしやすい物が、一乃至二枚程度あるだけで給排水効率が急激に落ち、給排水できなくなる事態が発生していた。
【０００８】
これは、髪の毛及び糸状の細長い物など異物を受け止める面、つまり通常の給排水口は、規格で決まった小さな所定の径で、また濾過するその受ける面が平面であり、ここに髪の毛など糸状の細長い物を多く含む水を通過させると、その平面に髪の毛及び糸状の細長い物が横方向に重なり合って紙漉き状態で一面に張り付くため給排水口をふたする状態になり、この紙漉き状態の異物を取り除かないと給排水効率が悪く、最悪完全に目詰まり状態となり、これを防ぐために絶えず取り除かなくてはならなかった。
【０００９】
また、ゴミなどを濾過するための、通常よく使用されるフィルターの製作において、穴あきプレート及び金網などの製作は所定の装置で製作されており、簡易で安く製作できる物が提供されていなかった。
【００１０】
【課題を解決するための手段】
本発明は、若干の屈曲部を持った所定長さの線条を多数本束ね又は所定長さに多数回繰り返し折り曲げると共に束ねて所定径に形成して線条体フィルターとしているので、髪の毛など糸状の細長い物を面で捕らえるのでなく、各線条の間に軸方向に吸い込ませるように距離を持たせて、線条の若干の曲がりで捕らえることで、捕らえる容量が増え、また単純に線条を束ねることで製造できるので、非常に簡易で安価に製造できる。
【００１１】
また上記、所定径に形成した該線条体フィルターの吸い込み口又は排水口のその端面側が均一平面状でなく、各線条が若干の凹凸状態の不揃いになるように形成した線条体フィルターを吸い込み口又は排水口の軸方向に装着するので、木の葉など又はビニールなどシート状の小片の物など目詰まりしやすい物も、フィルターの吸い込み口又は排水口の凹凸による隙間及び平面状のゴミが水平状態になることを防ぐことで目詰まりを起しにくくしている。
【００１２】
【発明の実施の形態】
本発明の線条体フィルターは、若干の屈曲部を持った線条を多数本又は所定長さに多数回折り曲げると共に吸込み口又は排水口の径に合わせて束ねて形成し、且つ前記線条の吸込み口又は排水口端面側が均一平面状でなく、各線条が若干の凹凸状態になるように線条体フィルターを形成して、該線条体フィルターを吸い込み口又は排水口の軸方向に装着する。
【００１３】
【実施例】
本発明の実施例を図面に基づいて説明すると、図１において、１は線条体フィルターで、該線条体フィルター１は、線条体２と該線条体２を所定径に束ね状に形成保持する保持体３を有している。
【００１４】
そこで線条体２は、図１及び図２に示すように、複数回折り曲げ成型すると共に直線部分を若干の屈曲部４、４、…を所定箇所不揃いに形成し、線材の材質は特に錆び等腐食に対応した物が選ばれ、また銅線材を使用すれば、良く知られる銅イオンによる殺菌及びフィルターに付着するぬめり防止に対応できる。
【００１５】
前記のように形成した線条体２を、薄板状の保持体３で束ね状に形成保持され、この保持径は、後述する排水口などの規格の口径に合わせて形成され、また折り曲げる全長も排水のゴミなどの多さによって選ばれ、上記折り曲げ両先端を均一端面に揃えるのではなく、不揃いに若干の凹凸を持って形成する。
【００１６】
図３は、他の実施例の線条体２ａで、若干の屈曲部４を持った所定長さの直線を複数本、束ね状に形成保持すると共に該直線の先端部を上記線条体２と略同様に若干の凹凸を持って形成する物を示し、前期実施例と同様に使用する。
【００１７】
しかして、今一例の、線条体フィルター１を使用する時、図４に示すように、既製規格の排水口５の口部に、その規格に対応する外径の線条体フィルター１を装着し、さらにその口部にスノコ６でふたをする。
【００１８】
上記のように装置した、排水口５にゴミを含む排水を流すと、特に髪の毛７など細長い物が多いと、図４の矢印のようにスノコ６より線条体フィルター１に流れ込む、そこで図２及び５に示すように、先ず線条体フィルター１の線条体２に引っ掛かりながら一部の髪の毛７の先端側から各線条体２の間に吸い込まれ、その線条体２の直線部の多数の各屈曲部４、４、…にも引っ掛かる。
【００１９】
つまり、線条体フィルター１の線条体２の入り口付近からその線条体２の直線部の多数の屈曲部４、４、…に至る随所に髪の毛７など細長い物が引っ掛かるようにしており、平面だけで捕らえるのでなく、縦方向の屈曲部４、４、…で引っ掛けるように捕らえることでも、髪の毛７など細長い物に対する捕捉面積を増やし、その他のゴミなどは表面側で捕捉する。
【００２０】
また、線条体フィルター１の線条体２の先端端面が凹凸状に形成されていることで、木の葉など又はビニールなどシート状の小片の物など目詰まりしやすい平面状のゴミでも、該凹凸により隙間及びその平面状のゴミが水平状態になることを防ぐことで目詰まりを起こしにくく、排水がスムーズにできる。
【００２１】
なお、保持体３の薄板状を、紐又はバンド状の物に変えて使用しても良く、また折り曲げ両先端の不揃いを極端に差を付けて比較的大きな平面を持つ物に対応するようにしても好ましい。
【００２２】
さらに、髪の毛７などの細長い物及び他の平面状を持つものでも有効に捕捉でき、比較的大きなゴミなどにも使用できることから、線条体フィルター１を上記例示する排水口５に装着するだけでなく、給排水口５以外に、水路その他ゴミなど取り除くフィルター的な使用用途としても好ましい。
【００２３】
【発明の効果】
本発明は、以上説明したような形態で実施され、特に、若干の屈曲部を持った所定長さの線条を多数本束ね又は所定長さに多数回繰り返し折り曲げると共に束ねて所定径に形成して線条体フィルターとし、且つ所定径に形成した該フィルターの吸い込み口又は排水口のその端面側が均一平面状でなく、各線条が若干の凹凸状態の不揃いになるように形成した線条体フィルターを吸い込み口又は排水口の軸方向に装着しているので、
【００２４】
髪の毛及び糸状の細長い物が横方向に重なり合って紙漉き状態で一面に張り付くことなく、また目詰まり状態を防ぐために絶えず取り除くことも無く、給排水効率を確保でき、また木の葉又はビニールシートの小片のような平面を持った物でも、該凹凸により隙間及び平面状のゴミが水平状態になることを防ぐことで目詰まりを起こしにくく、排水がスムーズにできる。
【００２５】
また、単純に線条を束ねることで製造できるので、非常に簡易で安価に製造でき、さらにその線条体を銅線を使用すれば、銅イオンによる殺菌及びぬめり防止の効果があり、よって本発明は、実用上著大なる効果を奏するものである。
【図面の簡単な説明】
【図１】本発明の実施例の斜視図である。
【図２】線条体２の要部の正面図である。
【図３】線条体２ａの要部の正面図である。
【図４】本発明の使用状態を示す要部の正面断面図である。
【図５】実施例の要部を示す正面図である。
【符号の説明】
１  線条体フィルター
２ａ、２  線条体
３  保持体
４  屈曲部
５  排水口
【図１】
2005023712.tif 000003
【図２】
2005023712.tif 000004
【図３】
2005023712.tif 000005
【図４】
2005023712.tif 000006
【図５】
2005023712.tif 000007